(57)【特許請求の範囲】
【請求項１】
遊技場の島に設置されメダルを回収する回収装置１に組み込まれてメダルを洗浄する洗浄ユニット５に備えられ、洗浄水が付着した状態で送られてきたメダルを、互いに当接して逆方向に従動回転する上下一対のスポンジローラ８９の間に挟みこんで前記洗浄水をふき取りながら送り出す送出装置において、
前記スポンジローラ８９は、支持軸８９ｆと、支持軸８９ｆを嵌挿自在な嵌挿孔を有す筒状のスポンジ８９ａとを備え、
当該送出装置は、
駆動ローラ９０と、
前記各スポンジローラ８９を収納し、一方の前記スポンジローラ８９を前記駆動ローラ９０に押し付けた状態で当接させるセッティング位置から、前記スポンジ８９ａを支持軸８９ｆから抜き差し可能な抜差位置まで移動すると共に、前記支持軸８９ｆの端部を上下方向に移動可能とする長孔に形成する一方、前記スポンジローラ８９の回転軸を支持する蓋部８６を開方向に付勢して、前記長孔と回転軸との掛合が取れると開くスポンジローラ収納具９とを備える
ことを特徴とするメダル洗浄ユニット５の送出装置。
【発明の詳細な説明】
【０００１】
【発明の属する技術分野】
本発明は、洗浄機に備えられたメダルの送出装置に関する。
【０００２】
【従来の技術】
従来より、パチンコホールなどでメダル遊技機（いわゆる「パチスロ」）を設置する島の端部には、メダルを回収する回収装置が備えられ、この回収装置には、メダルを洗浄する洗浄ユニットが組み込まれている。この洗浄ユニット１００は、図１０（ａ）に示すように、搬送ベルト１０２、洗浄水吐水具１０４、整列ブラシ１０６、洗浄ローラ２１０、脱水ローラ２３０を備え、島で回収されこの洗浄ユニット１００内に投入されたメダルＭを搬送ベルト１０２で洗浄ローラ２１０に向かって搬送し、その途中洗浄水吐水具１０４でメダルＭに洗浄水をかけ、整列ブラシ１０６でメダルＭが重ならないよう整列させている。そして、この洗浄ユニット１００は、洗浄ローラ２１０でメダルＭに付着した洗浄水を拭い取りつつメダルＭを洗浄して脱水ローラ２３０に送出し、さらに、脱水ローラ２３０でメダルＭの洗浄水を拭い取り、メダルＭをリフターに送出している。
【０００３】
このうち、洗浄ローラ２１０、脱水ローラ２３０は、図１０（ｂ）に示すように、各々一対のスポンジローラ２１２，２２０（以上洗浄ローラ２１０），２３２（図１０（ａ）参照），２３４（以上脱水ローラ２３０）からなり、送出装置２００として一体に組み立てられ、この送出装置２００の筐体２６０に軸回転自在に固定されている。この送出装置２００では、スポンジローラ２２０が、図示しないモータからの動力を直接受けて回転し、スポンジローラ２１２が、スポンジローラ２２０に当接して逆方向に従動回転する。そして、洗浄ローラ２１０に送られてきたコインＭは、このスポンジローラ２１２，２２０に挟まれて脱水ローラ２３０に送りだされる。
【０００４】
また、この送出装置２００では、脱水ローラ２３０のスポンジローラ２３２（図１０（ａ）参照）が、洗浄ローラ２１０のスポンジローラ２２０からチェーン２４０を介して動力を受けて回転し、スポンジローラ２３４が、スポンジローラ２３２に当接して逆方向に従動回転する。そして、洗浄ローラ２１０から脱水ローラ２３０に送られてきたメダルＭが、このスポンジローラ２３２，２３４に挟まれて図示しないリフターに送りだされる。
【０００５】
ところで、この送出装置２００では、汚れた各スポンジローラ２１２，２２０，２３２，２３４を交換するため、筐体２６０から取外し自在に構成されている。この構成について、洗浄ローラ２１０の下方のスポンジローラ２２０を代表して説明する。
【０００６】
このスポンジローラ２２０は、図１１（ａ）に示すように、回転軸２２１、スポンジ２２２を備えており、回転軸２２１の外周にスポンジ２２２が接着されている。また、この下方のスポンジローラ２２０は、回転軸２２１の両端に、接合具２２１ａ、２２１ｂを備えている。
【０００７】
また筐体２６０は、この洗浄ローラ２１０を軸回転自在に固定する第１固定具２２３及び第２固定具２２４を備えている。
このうち第１固定具２２３は、モータから動力を受ける歯車２２３ａと、筐体２６０に固定されたベアリング２２３ｂと、接合具２２３ｃとを備えている。そして、歯車２２３ａと接合具２２３ｃとが回転軸αで接続され、ベアリング２２３ｂは筐体２６０に対してこの回転軸αを回転自在に支持している。
【０００８】
一方、第２固定具２２４は、脱水ローラ２３０に動力を伝達する歯車２２４ａと、筐体２６０に固定されたベアリング２２４ｂと、接合具２２４ｃと、固定具２２４ｄとを備えている。
そして、歯車２２４ａは回転軸βに固定され、ベアリング２２４ｂはこの回転軸βを筐体２６０に対して回転自在に支持している。また、固定具２２４ｄと接合具２２４ｃとは回転軸β内に同心状に設置され、回転軸β内を軸方向に摺動自在に設置された固定軸γで接続され、また、固定具２２４ｄはラッチδにより回転軸βに填め込んで固定できるよう形成されている。
【０００９】
スポンジローラ２２０を第１固定具２２３及び第２固定具２２４を用いて筐体２６０に軸回転自在に固定するには、まず、図１１（ｂ）に示すように、接合具２２１ａを接合具２２３ｃに接合させる。次に、図１１（ｃ）に示すように、固定具２２４ｄを押して接合具２２４ｃをスライドさせ、接合具２２４ｃを接合具２２１ｂに接合させる。そして固定具２２４ｄを回転軸βに填め込んでラッチδを用いて固定する。
【００１０】
このようにスポンジローラ２２０を筐体２６０に取り付けると、歯車２２３ａに伝えられた動力は、回転軸α，接合具２２３ｃ，接合具２２１ａを介してスポンジローラ２２０に伝えられ、さらに、接合具２２１ｂ，接合具２２４ｃを介し、固定具２２４ｄ、回転軸β、歯車２２４ａを介して脱水ローラ２３０に伝えられる。
【００１１】
一方、ラッチδを回転軸βから外して、固定軸γを回転軸βから引き出せば、接合具２２４ｃが接合具２２１ｂからはずれ、スポンジローラ２２０を取り出すことができる。
【００１２】
【発明が解決しようとする課題】
しかし、従来の送出装置２００では、スポンジローラ２２０を回転自在に支える構成として、スポンジローラ２２０の回転軸２２１に動力を直接伝達するためのベアリング２２３ｂ，２２４ｂと、スポンジローラ２２０を筐体２６０から脱着するための接合具２２３ｃ，２２４ｃ、固定軸γ、固定具２２４ｄとが組み合わされた複雑な構造の第１固定具２２３，第２固定具２２４を設けねばならないという問題があった。
【００１３】
また、この第１固定具２２３及び第２固定具２２４は、この送出装置２００だけに適用される特別なもので、しかも上述したような複雑な構成であるため高価であり、洗浄ユニット１００の製造コストが高くなるという問題があった。
そこで、本発明では、スポンジローラ２２０を回転自在に支える構成を簡単にすることができ、しかも、製造コストを抑えることができるメダルの送出装置を提供することを目的とする。
【００１４】
【課題を解決するための手段及び発明の効果】
上記課題を解決する請求項１記載の発明は、遊技場の島に設置されメダルを回収する回収装置１に組み込まれてメダルを洗浄する洗浄ユニット５に備えられ、洗浄水が付着した状態で送られてきたメダルを、互いに当接して逆方向に従動回転する上下一対のスポンジローラ８９の間に挟みこんで前記洗浄水をふき取りながら送り出す送出装置において、前記スポンジローラ８９は、支持軸８９ｆと、支持軸８９ｆを嵌挿自在な嵌挿孔を有す筒状のスポンジ８９ａとを備え、当該送出装置は、  駆動ローラ９０と、前記各スポンジローラ８９を収納し、一方の前記スポンジローラ８９を前記駆動ローラ９０に押し付けた状態で当接させるセッティング位置から、前記スポンジ８９ａを支持軸８９ｆから抜き差し可能な抜差位置まで移動すると共に、前記支持軸８９ｆの端部を上下方向に移動可能とする長孔に形成する一方、前記スポンジローラ８９の回転軸を支持する蓋部８６を開方向に付勢して、前記長孔と回転軸との掛合が取れると開くスポンジローラ収納具９とを備えることを特徴とする。
【００１５】
この発明では、駆動力を受けて回転する駆動ローラを設けて、この駆動ローラに一方のスポンジローラを押し付けた状態で当接させて従動回転させ、さらに一方のスポンジローラに他方のスポンジローラを当接させて従動回転させている。そのため本発明では、スポンジローラを軸回転自在に支持する部分の構成としてスポンジローラに動力を伝達する構成が不要なので、その分、スポンジローラを軸回転自在に支持する構成を簡単にすることができる。また、当該部分構成が簡単になる分送出装置の製造コストも安くなる。
【００１６】
従って、この発明を用いると、簡単な構成でスポンジローラを軸回転自在に支持することができ、しかも、当該送出装置の製造コストを抑えることができる。尚、本発明ではメダルについて説明したが、メダルの概念には硬貨等のコインを含む。
【００１７】
ところで、従来の送出装置では、動力が回転軸に与えられているため、スポンジが滑らないよう回転軸とスポンジとを接着していた。そのため、汚れたスポンジを取り替える場合、いちいちメーカーに依頼して、回転軸からスポンジを剥がし取り、新たなスポンジを回転軸に接着してもらう必要があり、その分送出装置のランニングコストが高くなってしまっていた。
【００１８】
しかし、本発明では、動力は駆動ローラからスポンジに伝達されるので、従来の回転軸はスポンジローラの位置を位置決めする支持軸としての役割さえ果たせば、支持軸とスポンジとを接着する必要はない。そこで、本発明では、スポンジローラについて、支持軸８９ｆと、支持軸８９ｆを嵌挿自在な嵌挿孔を有す筒状のスポンジ８９ａとを備える構成とした。
【００１９】
この発明を用いると、遊技場島において循環回収して使用されるメダルを再使用可能に洗浄する洗浄ユニット５が汚れていた場合、洗浄ユニット５における送出装置のスポンジローラ収納具９を付勢力を伴って開放し弛んだ状態として支持軸８９ｆよりスポンジ８９ａを簡単に引き出すことができ、スポンジ８９ａを抜いて、新しいスポンジ８９ａを支持軸８９ｆに挿入した当該スポンジローラをスポンジローラ収納具９に差し込み、メダル洗浄ユニット５の送出装置に収納すればよく、遊技場の洗浄ユニットに関するスポンジの取付け交換操作が極めて単純化され簡便に行うことができるものともなる。また、遊技場島で循環回収使用されるメダルを洗浄して再使用可能とする送出装置を有する洗浄ユニット５のランニングコストを安く抑えることができる。また、メダル回収装置１に組みつけられた洗浄ユニット５の送出装置から取り外されるスポンジローラ８９に抜き差しされるスポンジ８９ａは回転軸に接着されていないので、一般の洗濯機で洗濯して、遊技場島に設けられるメダル回収装置１において何度も再利用することができる効果を併せて達成できる。
【００２０】
次に、以下の発明のように、遊技場の島に設置され、メダルを回収する回収装置１に組み込まれてメダルを洗浄する洗浄ユニット５に備えられる送出装置は、駆動ローラを軸回転自在に固定する駆動ローラ固定具と、駆動ローラの長さ方向の一端側である支持側を支点として、一対のスポンジローラのうちの下方のスポンジローラが駆動ローラに当接するセッティング位置から、セッティング位置の上方の抜差位置まで駆動ローラ固定具に揺動自在に位置決め固定されたスポンジローラ収納具と、セッティング位置から抜差位置までスポンジローラ収納具を弾性力により上方に引き上げる引上手段と、駆動ローラの長さ方向の他端側である取出側に設けられ、セッティング位置にスポンジローラ収納具を固定するロック手段とを備え、スポンジローラ収納具が、支持側及び取出側に設けられ、上下一対の前記各スポンジローラの各支持軸の端部を上下方向に移動自在に支持する一対の支持部と、該一対の支持部を連結する連結部とを備え、取出側の支持部は、スポンジローラ収納具が抜差位置に位置するとき、スポンジローラ収納具内からスポンジを抜き差しできるよう開放自在に連結部に取り付けられているのが好ましい。
【００２１】
この送出装置では、スポンジローラ収納具をロック手段でロックすれば、各スポンジローラが駆動ローラに従動するセッティング位置にセットされ、一方、ロック手段のロックを解けば、引上手段が、スポンジを移動軸から取出しやすい抜差位置までスポンジローラ収納具を自動的に引き上げる。また、この請求項３記載の送出装置では、互いに当接している一対のスポンジローラのスポンジを回転軸から抜きやすくするため、スポンジローラを上下方向に移動自在に支持している。そのため、この送出装置では、抜差位置で取出側の支持部を開ければ、スポンジローラ収納具内からスポンジを簡単に抜き差しできる。
【００２２】
従って、この送出装置を用いれば、スポンジの交換及び、スポンジを交換したスポンジローラを、スポンジローラが駆動ローラに従動するよう簡単にセッティングできる。尚、請求項３記載の送出装置では、取出側の支持部は、スポンジローラ収納具の取出側を開放できる構成であればどのように連結部に取り付けられていてもよく、例えば、連結部に対し揺動自在に取り付けられているか、連結部から取外自在に取り付けられているのが好ましい。
【００２３】
【発明の実施の形態】
本発明が適用された実施形態について以下説明する。
ここで、図１は、本実施形態の回収装置を構成する各装置の配置ブロック図で、（ａ）は正面配置図、（ｂ）は側面配置図である。
【００２４】
まず、本実施形態の回収装置１が備える各装置の配置と、回収装置１内でのメダルの流れについて説明する。
本実施形態の回収装置１は、メダル遊技機（いわゆる「パチスロ」）を設置する島の端部に設置されるもので、図１（ａ）に示すように、その筐体１０の内部に、洗浄ユニット５と、洗浄水循環ユニット２０と、メダルタンク３０とを備えている。
【００２５】
洗浄ユニット５は、筐体１０の左下に設置される。また、洗浄水循環ユニット２０を構成する揚水ポンプ２２、貯水タンク２４、調整タンク２６（図１（ｂ）参照）のうち、貯水タンク２４は、筐体１０内の右上に設置され、揚水ポンプ２２は、貯水タンク２４の下に設置される漏水受トレイ１２、リフター１４の下に配置され、調整タンク２６は、図１（ｂ）に示すように、貯水タンク２４の奥に設置される。
【００２６】
メダルタンク３０は、洗浄ユニット５の上部に設置され、図１（ｂ）に示すように、底部が洗浄ユニット５の背面側に配置される形状に形成されている。そしてこのメダルタンク３０の底部には、メダルタンク３０内に投入されたメダルを洗浄ユニット５の背面側に向かって搬送する第１搬送機１６が取り付けられている。また、メダルタンク３０の奥の島内には、島で使用された使用済みのメダルをメダルタンク３０に投入するための第２搬送機１８が設置されている。
【００２７】
本実施形態の回収装置１では、使用済みのメダルが島の下部に設置された図示しない搬送ベルトで回収装置１に向かって送られてきて、第２搬送機１８で持ち上げられてメダルタンク３０に投入される。また、回収装置１の筐体１０上に設置されたメダル計数機４０から計数後のメダルがメダルタンク３０内に投入される。そして、メダルタンク３０に投入されたメダルは、第１搬送機１６で洗浄ユニット５に送られ、この洗浄ユニット５で洗浄され、洗浄ユニット５の右側面に設けられた排出口５ａから樋５ｃを伝ってリフター１４に排出される。その後、メダルは、リフター１４で島上部に設置された図示しない運搬ベルトまで持ち上げられ、この運搬ベルトで各パチスロに搬送される。
【００２８】
次に、本実施形態の洗浄ユニット５について説明する。
ここで、図２は、本実施形態の洗浄ユニット５の正面図、図３は送出装置の側面図及び一部拡大斜視図、図４が送出装置の背面図である。
本実施形態の洗浄ユニット５は、図２に示すように、搬送装置６と、送出装置７とを備え、洗浄ユニット５の筐体５０の奥の壁面には、第１搬送機１６（図１（ｂ）参照）で搬送されてきたメダルＭを、洗浄ユニット５内に搬入する搬入口５２が形成されている。また、この洗浄ユニット５は、搬入口５２から搬入されたメダルＭを搬送装置６内に投入する樋５４を備えている。
【００２９】
搬送装置６は、搬送ベルト６０と、洗浄水吐水具６２と、整列ブラシ６４と、モータ６６とを備えた一般的な構成のものである。この搬送装置６では、樋５４を介して搬送装置６内に投入されたメダルＭを搬送ベルト６０で送出装置７に向かって搬送し、その途中、洗浄水吐水具６２から洗浄水を吐出して、メダルＭに洗浄水を付着させ、整列ブラシ６４でメダルＭが重ならないよう整列させている。
【００３０】
送出装置７は、スポンジローラ収納具８及び、駆動ローラ収納具９（本発明の固定具に相当）とを備え、この送出装置７に送り込まれたメダルＭは、洗浄及び洗浄水のふき取りが行われた後、樋５ｃを介してリフター１４に送られる。
このうちスポンジローラ収納具８には、水平に配置された上下一対のスポンジローラ８９が２列に収納される。本実施形態では、上下のスポンジローラ８９，８９が互いに逆回転するようにスポンジローラ収納具８内で回転させ、洗浄水が付着した状態で送られて来たメダルＭを、スポンジローラ８９，８９の間に挟み込んで洗浄水をふき取りながら送り出しているが、搬送装置側のスポンジローラ８９，８９が洗浄効果が大きいので洗浄ローラ８０、下流側のスポンジローラ８９，８９が脱水効果が大きいので脱水ローラ８２と便宜上呼んでいる。
【００３１】
そして、このスポンジローラ収納具８は、これら洗浄ローラ８０及び脱水ローラ８２を構成するスポンジローラ８９を収納するため、図３に示すように、各スポンジローラ８９の軸方向に長尺な形状に形成されている。
一方、駆動ローラ収納具９は、駆動ローラ９０を水平に収納する底部９ａと、洗浄ユニット５の奥側であって、駆動ローラ９０の長さ方向一端側である支持端側の底部９ａ上に垂直に立設されたモータ支持部９ｂとからなる、Ｌの字を横倒しにしたような形状に形成されている。
【００３２】
スポンジローラ収納具８は、駆動ローラ９０の長さ方向の一端側であって、駆動ローラ収納具９の底部９ａの支持側に設けられた開放軸９９に軸支され、この底部９ａ上に重ねられるセッティング位置から、上方の抜差位置まで回動するよう取り付けられる。またこのスポンジローラ収納具８の天井面には一端が駆動ローラ収納具９のモータ支持部９ｂに固定された引上バネ９６の他端が接続されおり、引上バネ９６は、スポンジローラ収納具８に対し上方に引き上げる力を常に作用させている。また、このスポンジローラ収納具８は、駆動ローラ９０の長さ方向の他端側である取出側の先端に蓋部８６を備えている。そして、このスポンジローラ収納具８は、セッティング位置に設置されているときは、拡大図に示すように、後述するロック装置９８の鍵部９８２を蓋部８６の鍵穴８６１ｄに引っかけて、引上バネ９６で引き上げられないようロックされている。
【００３３】
一方、駆動ローラ収納具９は、駆動ローラ９０の長さ方向他端側である取出側の端面にロック装置９８を備え、スポンジローラ収納具８が設置される位置より上方のモータ支持部９ｂの上部には、モータ９４が設置される（図２参照）。モータ支持部９ｂの上端の前方には引上バネ９６が取り付けられる。
【００３４】
このように構成された送出装置７では、ロック装置９８のロックを解除すれば、スポンジローラ収納具８が開放軸９９を支点に回動して上方の抜差位置まで引き上げられ、一方、その抜差位置に引上げられたスポンジローラ収納具８を下方に押すだけで、スポンジローラ収納具８がロック装置９８にロックされセッティング位置にセットされる。
【００３５】
その他、この駆動ローラ収納具９は、裏面に、図４に示すように、モータ９４の駆動軸に接続されたプーリ９４ａと、洗浄ローラ８０用の駆動ローラ９０のプーリ９６と、脱水ローラ８２用の駆動ローラ９０のプーリ９６とが回転自在に設置されている。そして、これらプーリ９４ａ，９６，９６を、プーリ９４ａを頂点とする三角形状にベルトで結び、動力を各駆動ローラ９０に伝達している。
【００３６】
次に、洗浄ローラ８０及び脱水ローラ８２を構成するスポンジローラ８９、スポンジローラ収納具８、及び駆動ローラ収納具９について詳細に説明する。
ここで、図５は、スポンジローラ８９の説明図で、（ａ）が分解斜視図、（ｂ）が平面図である。図６はスポンジローラ収納具８の説明図で、（ａ）が透過斜視図、（ｂ）が下方からみた平面図である。図７は、駆動ローラ収納具９の透過斜視図、図８は、図７のＡ−Ａ’断面で切断した、駆動ローラ収納具９の平面図である。
【００３７】
スポンジローラ８９は、図５に示すように、スポンジ８９ａと、前キャップ８９ｂと、後キャップ８９ｃと、軸受キャップ８９ｄと、リング８９ｅと、回転軸８９ｆとからなる。
このうち回転軸８９ｆは、スポンジ８９ａを取り付ける本体取付部分８９１の前後に、この本体取付部分８９１に比べ径が細い先端部分８９０と、後端部分８９２とが形成されている。また、後端部分８９２の突端には、後端部分８９２よりやや径の大きな引掛部８９３が形成されている
スポンジ８９ａは、本体取付部分８９１に挿通自在な大きさの嵌挿孔８９１ａ設けられた円筒形状に形成されている。
【００３８】
前キャップ８９ｂは、先端部分８９０に挿通自在な大きさの挿通孔８９０ｂが形成され、後キャップ８９ｃ及び軸受キャップ８９ｄには、後端部分８９２に挿通自在な大きさの挿通孔８９２ｃ、８９２ｄが形成されている。
そしてこのスポンジローラ８９では、図５（ｂ）に示すように、スポンジ８９ａが本体取付部分８９１に取り付けられ、前キャップ８９ｂ及び後キャップ８９ｃがスポンジ８９ａに当接した状態で先端部分８９０及び後端部分８９２に取り付けられる。また、リング８９ｅは引掛部８９３に当接し、軸受キャップ８９ｄはこのリング８９ｅに当接した状態で後端部分８９２に取り付けられる。
【００３９】
スポンジローラ収納具８は、図６に示すように、下面が開口した箱状に形成された収納部８７と、収納部８７の下面に垂直な面であって、この収納部８７に収納されるスポンジローラ８９の回転軸の端部を支持する蓋部８６と支持部８８とからなる。尚、蓋部８６は、本発明の取出側の支持部、収納部８７は、連結部に相当する。
【００４０】
このうち収納部８７は、図６（ｂ）に示すように、洗浄ローラ８０及び脱水ローラ８２を構成するスポンジローラ８９を４本を束ねたような状態で収納可能な大きさに形成され、具体的には、スポンジ８９ａ、前キャップ８９ｂ、後キャップ８９ｃの部分を収納できる大きさに形成されている。この収納部８７の搬送装置６に対向する側面には、図６（ａ）に示すように、取入口８７０が開口しており、その取入口８７０には、搬送装置６からメダルＭを取り込む樋８７１が設けられている。また、その反対側の側面には、メダルを送り出すための送出口８７２が設けられている。そして、この収納部８７の支持部８７側の壁面には、回転軸８９ｆを挿通自在な長孔８７３，８７４が縦に平行に形成されている。また、その中央には、送軸８５を挿通する挿通孔８７５も形成されている。
【００４１】
蓋部８６は、収納部８７の取出側先端の上部に回動バネ８７６を介して回動自在に取り付けられている。この蓋部８６は、軸受部８６０と、筐体部８６１とからなり、このうち筐体部８６１は、底部８６１ａの左右両端を垂直上方に折った支持部８６１ｂが形成され、さらに、その両支持部８６１ｂの先端を外側に開くように垂直に折った鍔部８６１ｃが形成されている。そして鍔部８６１ｃの下端側には、鍵穴８６１ｄが形成されている。そして、軸受部８６０は、プラスチック部材で形成され、支持部８６１ｂの立設方向側の底部８６１の上面に取り付けられる。そしてこの蓋部８６には、軸受部８６０と底部８６１ａとを貫いて、回転軸８９ｆを挿通自在な長孔８６３，８６４が縦に平行に形成されている。また、その中央には、送軸８５を挿通する挿通孔８６５も形成されている。
【００４２】
支持部８８は、収納部８７の支持側の背面に取り付けられている。この支持部８８は、箱状に形成されており、背面には軸受部８６０と同じ材料で形成された軸受部８８０が取り付けられている。そして、この軸受部８８０を貫いて、回転軸８９ｆを挿通自在な長孔８８３，８８４が縦に平行に形成されている。また、その中央には、送軸８５を挿通する挿通孔８７５も形成されている。
【００４３】
このスポンジローラ収納具８にスポンジローラ８９を取り付ける場合について、洗浄ローラ８０を取り上げて説明する。
このスポンジローラ８９を取り付けるには、予め後キャップ８９ｃを回転軸８９ｆの後端部分８９２に通しておき、その後端部分８９２を長孔８７３，８８３に挿通して、引掛部８９３が設けられた先端が支持部側に飛び出すように設置する。そして、その飛び出した後端部分８９２に軸受キャップ８９ｄとリング８９ｅを取り付ける。すると、回転軸８９ｆは、軸受キャップ８９ｄとリング８９ｅが軸受部８８０と引掛部８９３との間に挟まれ、回転軸８９ｆを抜け止めするとともに、後キャップ８９ｃと軸受キャップ８９ｄとで支持部８８を挟むことで、長孔８７３，８８３に沿って移動自在に取り付けられる。尚、このとき、後キャップ８９ｃ及び軸受キャップ８９ｄの挿通孔８９２ｃ，８９３ｄが引掛部８９３よりも径が小さいので、強く押し込んで後端部分８９２に挿入して後端部分８９２に取り付ける。同様にして、脱水ローラ８２のスポンジローラ８９を取り付ける。
【００４４】
その後、スポンジローラ収納具８に取り付けられた回転軸８９ｆに、スポンジ８９ａを先端部分８９０側から挿入して本体取付部分８９１に取り付け、その後先端部分８９０に前キャップ８９ｂを挿入する。そして、先端部分８９０が長孔８６３に挿入されるように、蓋部８６を閉める。
【００４５】
次に、駆動ローラ収納具９は、図７に示すように、底部９ａの取出側及び支持側の外側端面に、駆動ローラ９０を回転自在に取り付ける一対のベアリング９２，９４が取り付けられている。またこの駆動ローラ収納具９に取り付けられた駆動ローラ９０の支持側先端には、プーリ９６が取り付けられている。この駆動ローラ収納具９に収納される駆動ローラ９０は、スポンジローラ８９に対向する部分がベアリング９２，９４に回転自在に取り付けられている部分よりも太い径で形成されている。
【００４６】
また、この駆動ローラ収納具９の取出側先端には、ロック装置９８が取り付けられている。このロック装置９８は、鍵部９８２と、付勢部９８４とからなり、鍵部９８２は、鍵穴８６１ｄに掛合する一対の鍵９８２ａと、この鍵９８２を両端に支持する支持部９８２ｂを備えている。鍵９８２ａは、駆動ローラ収納具９の取出側に設けられた取付部材９０ａに支持部９８２ｄを用いて揺動自在に取り付けられ、支持部９８２ｂに一体に形成されている。そして支持部９８２ｂの中央下部には、バネ受具９８２ｃが設けられている。そして、このロック装置９８では、鍵９８２ａが鍵穴９６１ｄに掛合するよう、付勢部９４０がバネ受部９８２ｃを介して鍵部９２０を付勢している。
【００４７】
次に、本実施形態の送出装置７の操作方法を、スポンジローラ８９と駆動ローラ９０との配置を参照しながら以下説明する。
ここで、図８は、送出装置７を操作する様子を説明するための説明図で、図９は、スポンジローラ８９と駆動ローラ９０の配置図である。
【００４８】
まず、本実施形態の送出装置７では、スポンジローラ収納具８が、図８（ａ）に示すようなセッティング位置に設置されているときは、図９に示すように、下方のスポンジローラ８９が駆動ローラ９０に押しつけられ、上方のスポンジローラ８９は下方のスポンジローラ８９に押しつけられた状態で収納される。そのため、図２に示すように、下方のスポンジローラ８９の回転軸８９ｆは、長孔８６３，８６４の下端からやや浮いた位置に配置される。
【００４９】
そのため本実施形態の送出装置７に収納されたスポンジローラ８９のスポンジ８９ａを交換する場合、まず、このロック装置９８を解除するため、図８（ａ）に示すように、支持部９８２ｂを手前に引くとロックが解除され、図８（ｂ）に示すように、引上バネ９６がスポンジローラ収納具８を抜差位置まで自動的に引き上げる。このとき、押しつけられていた各スポンジローラ８９のスポンジ９８１ａが膨らんで上方のスポンジローラ８９に押しつけられていた下方のスポンジローラ８９は長孔８６３，８６４に沿って移動し、下方のスポンジローラ８９の回転軸８９ｆは長孔８６３，８６４の下端に当接する。一方ロック装置９８は、付勢部９４０（図７参照）から付勢力を受け、元の位置に戻される。
【００５０】
次に、図８（ｃ）に示すように、蓋部８６を開ける。このとき、蓋部８６は取付部材９０ａにより開方向に付勢されているので、長孔８６３，８６４と回転軸８９ｆとの掛合が取れる位置まで引き出せば、自動的に開く。すると、図８（ｄ）に示すように、長孔８６３，８６４に支えられていた取出側先端８９１ａが下方に落ち、各スポンジローラ８９は、長孔８７３，８７４,８８３，８８４から抜け出さないようにされているだけの弛んだ状態になるので、図８（ｅ）に示すように、スポンジ８９ａを回転軸８９ｆから簡単に引き出すことができる。
【００５１】
一方、上述した逆の操作を行えば、図９に示すように、下方のスポンジローラ８９を駆動ローラ９０に押しつけ、上方のスポンジローラ８９を下方のスポンジローラ８９に押しつけられたセッティング状態にセットすることができる。
このように構成された送出装置７では、スポンジローラ収納具８をセッティング位置にセットし、モータ９４を駆動して駆動ローラ９０を回転させると、この駆動ローラ９０に当接している下方のスポンジローラ８９が回転軸８９ｆとともに従動回転し、さらにこの下方のスポンジローラ８９に当接している上方のスポンジローラ８９も回転軸８９ｆとともに従動回転する。その際、回転軸８９ｆは、スポンジ８９ａとともに回転する。
【００５２】
以上の説明した送出装置７を用いると以下のような効果がある。
本実施形態では、スポンジローラ８９を軸回転自在に支持する部分の構成が、回転軸８９ｆを長孔８６３，８８３，８６４，８８４に挿入するだけの簡単な構成であり、長孔８６３，８６４等は、回転軸８９ｆを回転自在に挿入するとともに、回転軸８９ｆの回転位置が左右方向にぶれないよう位置決めしている。そのため、本実施形態では、従来の送出装置のように、スポンジローラ８９を回転自在に支持する構成としてベアリング等を用いる必要がなく、上述したようにスポンジローラ８９を回転自在に支持する構成が非常に簡単なので、従来の送出装置に比べ、送出装置７の製造コストを抑えることができる。
【００５３】
また、本実施形態では、スポンジ８９ａが汚れた場合、回転軸８９ｆからスポンジ８９ａを抜いて新しいスポンジ８９ａを差し込めばよいので、送出装置７のランニングコストを安く抑えることができる。また、スポンジ８９ａは従来のように回転軸に接着されていないので、一般の洗濯機で洗濯して何度も再利用することができる。
【００５４】
さらに、本実施形態では、スポンジ８６ａの交換及び、スポンジ８６ａを交換したスポンジローラ８９を、スポンジローラ８６が駆動ローラ９０に従動するよう簡単にセッティングできる。
尚、本発明の実施の形態は、上記実施形態に何ら限定されるものではなく、本発明の技術的範囲に属する限り種々の形態を採り得ることはいうまでもない。
【００５５】
例えば、回転軸８９ｆからスポンジ８９ａを簡単に抜き差しできるようにするため、スポンジローラの内側に塩化ビニル製のパイプを設けておいてもよい。
また尚、本実施形態の後キャップ８９ｃ、軸受キャップ８９ｄが、本発明の抜止手段に相当し、回転軸８９ｆが支持軸に相当する。
【図面の簡単な説明】
【図１】  本実施形態の回収装置を構成する各装置の配置ブロック図で、（ａ）は正面配置図、（ｂ）は側面配置図である。
【図２】  本実施形態の洗浄ユニットの正面図である。
【図３】  本実施形態の送出装置の側面図及び拡大図である。
【図４】  本実施形態の送出装置の背面図である。
【図５】  本実施形態のスポンジローラの説明図で、（ａ）が分解斜視図、（ｂ）が側面図である。
【図６】  本実施形態のスポンジローラ収納具の説明図で、（ａ）が透過斜視図、（ｂ）が下部平面図である。
【図７】  本実施形態の駆動ローラ収納具の説明図で、（ａ）は透過斜視図、（ｂ）は（ａ）のＡ−Ａ’断面で切断した平面図である。
【図８】  本実施形態の送出装置を操作する様子を説明するための説明図である。
【図９】  本実施形態の送出装置に設置されたスポンジローラと駆動ローラの配置図である。
【図１０】  従来の洗浄ユニットのブロック図、及び送出装置の斜視図である。
【図１１】  従来の送出装置のスポンジローラの平面図である。
【符号の説明】
５…洗浄ユニット、６…搬送装置、７…送出装置、８…スポンジローラ収納具、９…駆動ローラ収納具、８０…洗浄ローラ、８２…脱水ローラ、８５…送軸、８６…蓋部、８９…スポンジローラ、９０…駆動ローラ、９４…モータ、９６…引上バネ、９８…ロック装置、９９…開放軸
【図１】
0003841654.tif 000002
【図２】
0003841654.tif 000003
【図３】
0003841654.tif 000004
【図４】
0003841654.tif 000005
【図５】
0003841654.tif 000006
【図６】
0003841654.tif 000007
【図７】
0003841654.tif 000008
【図８】
0003841654.tif 000009
【図９】
0003841654.tif 000010
【図１０】
0003841654.tif 000011
【図１１】
0003841654.tif 000012